(57)【要約】【課題】  年齢制限がある番組を視聴している際でも、第三者に視聴している番組の内容を把握させにくくする。【解決手段】  デジタル放送の番組を受信した場合において、制御部１１は、選局された番組から年齢による視聴制限を示した情報を検出する。選局された番組が年齢による視聴制限を示す情報を有していた場合には、制御部１１は画像処理部１６に受信した番組の画像の輝度を抑制する処理を行わせる。また、音声処理部１８に受信した番組の音量を抑制する処理を行わせる。そして、画像出力部１７と音声出力部１９より出力させる。【選択図】  図１
2005086513.tif 000002
【特許請求の範囲】
【請求項１】
放送を受信する放送受信機において、
前記受信した放送の中から選局された番組が年齢による視聴制限を示す情報を有したも
のか否かを検出する検出手段と、
前記検出手段によって前記選局された番組から前記年齢による視聴制限を示す情報を検
出した場合には、前記選局された番組の画像の輝度を抑制する輝度抑制手段と、
前記検出手段によって前記選局された番組から前記年齢による視聴制限を示す情報を検
出した場合には、前記選局された番組の音量を抑制する音量抑制手段と、
前記輝度抑制手段により輝度が抑制された画像を出力する画像出力手段と、
前記音量抑制手段により音量が抑制された音声を出力する音声出力手段と、
を具備することを特徴とする放送受信機。
【請求項２】
前記音量抑制手段による音量抑制は、イヤホンが接続されていないときのみ講じられる
ことを特徴とする請求項１に記載の放送受信機。
【請求項３】
前記輝度抑制手段による画像の輝度の抑制及び前記音量抑制手段による音量の抑制を講
じるか否かを判断する判断手段を有することを特徴とする請求項１に記載の放送受信機。
【請求項４】
前記輝度抑制手段による画像の輝度の抑制及び前記音量抑制手段による音量の抑制は、
特定の時間帯にのみ講じられることを特徴とする請求項１に記載の放送受信機。
【請求項５】
放送を受信する放送受信機において、
前記受信した放送の中から選局された番組が年齢による視聴制限を示す情報を有したも
のか否かを検出する検出手段と、
前記検出手段によって前記選局された番組から前記年齢による視聴制限を示す情報を検
出した場合には、前記選局された番組の画像の輝度を抑制する輝度抑制手段と、
前記検出手段によって前記選局された番組から前記年齢による視聴制限を示す情報を検
出した場合には、前記選局された番組の音量を抑制する音量抑制手段と、
前記輝度抑制手段により輝度が抑制された画像を出力する画像出力手段と、
前記音量抑制手段により音量が抑制された音声を出力する音声出力手段と、
装置の電源コンセントが電源ソケットより抜去されたときに電源を供給する電源供給手
段とを具備し、
前記輝度抑制手段による画像の輝度の抑制及び前記音量抑制手段による音量の抑制は、
装置の前記電源コンセントが前記電源ソケットより抜去されたときのみ講じられることを
特徴とする放送受信機。
【請求項６】
放送を受信する放送受信機の制御方法において、
前記受信した放送の中から選局された番組が年齢による視聴制限を示す情報を有したも
のか否かを検出する検出ステップと、
前記検出ステップによって前記選局された番組から前記年齢による視聴制限を示す情報
を検出した場合には、前記選局された番組の画像の輝度を抑制する輝度抑制ステップと、
前記検出ステップによって前記選局された番組から前記年齢による視聴制限を示す情報
を検出した場合には、前記選局された番組の音量を抑制する音量抑制ステップと、
前記輝度抑制ステップにより輝度が抑制された画像を出力する画像出力ステップと、
前記音量抑制ステップにより音量が抑制された音声を出力する音声出力ステップと、
を具備することを特徴とする放送受信機の制御方法。
【請求項７】
前記音量抑制ステップによる音量抑制は、イヤホンが接続されていないときのみ講じら
れることを特徴とする請求項６に記載の放送受信機の制御方法。
【請求項８】
前記輝度抑制ステップによる画像の輝度の抑制及び前記音量抑制ステップによる音量の
抑制を講じるか否かを判断する判断ステップを有することを特徴とする請求項６に記載の
放送受信機の制御方法。
【請求項９】
前記輝度抑制ステップによる画像の輝度の抑制及び前記音量抑制ステップによる音量の
抑制は、特定の時間帯にのみ講じられることを特徴とする請求項６に記載の放送受信機の
制御方法。
【請求項１０】
放送を受信する放送受信機の制御方法において、
前記受信した放送の中から選局された番組が年齢による視聴制限を示す情報を有したも
のか否かを検出する検出ステップと、
前記検出ステップによって前記選局された番組から前記年齢による視聴制限を示す情報
を検出した場合には、前記選局された番組の画像の輝度を抑制する輝度抑制ステップと、
前記検出ステップによって前記選局された番組から前記年齢による視聴制限を示す情報
を検出した場合には、前記選局された番組の音量を抑制する音量抑制ステップと、
前記輝度抑制ステップにより輝度が抑制された画像を出力する画像出力ステップと、
前記音量抑制ステップにより音量が抑制された音声を出力する音声出力ステップと、
装置の電源コンセントが電源ソケットより抜去されたときに電源を供給する電源供給ス
テップとを具備し、
前記輝度抑制ステップによる画像の輝度の抑制及び前記音量抑制ステップによる音量の
抑制は、装置の前記電源コンセントが前記電源ソケットより抜去されたときのみ講じられ
ることを特徴とする放送受信機の制御方法。
【発明の詳細な説明】
【技術分野】
【０００１】
本発明は、放送受信機に係り、特に年齢による視聴制限がある番組を選局した際に、第
三者に当該選局した番組の内容を把握させない、いわゆるプライバシー保護の制御を行う
放送受信機に関する。
【背景技術】
【０００２】
デジタル放送においては、番組自体の放送コンテンツである映像・音声の他に、各種の
付加情報を電波に重畳して配信している。付加情報には、番組の放送時間や番組等の番組
情報、番組若しくはチャンネル視聴の契約をしているか否かの契約情報、視聴制限のため
に用いられる年齢制限情報、放送がなされているか休止中であるかの情報等が含まれてい
る。これらの活用方法としては、従来より、一定年齢以下のものには特定の番組を視聴さ
せないようなデジタル放送受信機が開発されたり、また、無駄な電力消費を防止するデジ
タル放送受信機が提案されたりしている（例えば、特許文献１参照）。
【特許文献１】特開２００１−１２８０８号公報（第５頁、図１）
【発明の開示】
【発明が解決しようとする課題】
【０００３】
上述のように、付加情報の活用の１つに、年齢に関する視聴制限の情報を有した番組を
選局した場合に、一定年齢以下の者には特定の番組を視聴させないデジタル放送受信機が
提案されている。
【０００４】
しかし、モバイルテレビ等、持ち運びを前提とした放送受信機の登場により、今後放送
受信機自体を固定位置に設置して利用するのではなく、移動しながら利用する利用形態も
多くなると考えられる。このような利用形態の下では、ユーザ自身は視聴年齢制限に入ら
ない場合でも、周囲にいる第三者が視聴年齢の制限に該当する者である場合も想定される
。従って、第三者に当該選局した番組の内容を把握させない、いわゆるプライバシーを保
護すべき機会も多くなると予想される。
【０００５】
そこで、本発明は、ユーザが視聴制限がかけられた番組を視聴している際でも、プライ
バシーを守り、第三者に視聴している番組内容を把握させにくくした放送受信機を提供す
ることを目的とする。
【課題を解決するための手段】
【０００６】
上記目的を達成するために、本発明の放送受信機の第１の発明は、放送を受信する放送
受信機において、前記受信した放送の中から選局された番組が年齢による視聴制限を示す
情報を有したものか否かを検出する検出手段と、前記検出手段によって前記選局された番
組から前記年齢による視聴制限を示す情報を検出した場合には、前記選局された番組の画
像の輝度を抑制する輝度抑制手段と、前記検出手段によって前記選局された番組から前記
年齢による視聴制限を示す情報を検出した場合には、前記選局された番組の音量を抑制す
る音量抑制手段と、前記輝度抑制手段により輝度が抑制された画像を出力する画像出力手
段と、前記音量抑制手段により音量が抑制された音声を出力する音声出力手段と、を具備
することを特徴としている。
【０００７】
また、本発明の放送受信機の第２の発明は、放送を受信する放送受信機において、前記
受信した放送の中から選局された番組が年齢による視聴制限を示す情報を有したものか否
かを検出する検出手段と、前記検出手段によって前記選局された番組から前記年齢による
視聴制限を示す情報を検出した場合には、前記選局された番組の画像の輝度を抑制する輝
度抑制手段と、前記検出手段によって前記選局された番組から前記年齢による視聴制限を
示す情報を検出した場合には、前記選局された番組の音量を抑制する音量抑制手段と、前
記輝度抑制手段により輝度が抑制された画像を出力する画像出力手段と、前記音量抑制手
段により音量が抑制された音声を出力する音声出力手段と、装置の電源コンセントが電源
ソケットより抜去されたときに電源を供給する電源供給手段とを具備し、前記輝度抑制手
段による画像の輝度の抑制及び前記音量抑制手段による音量の抑制は、装置の前記電源コ
ンセントが前記電源ソケットより抜去されたときのみ講じられることを特徴としている。
【０００８】
次に、本発明の放送受信機の制御方法の第１の発明は、放送を受信する放送受信機の制
御方法において、前記受信した放送の中から選局された番組が年齢による視聴制限を示す
情報を有したものか否かを検出する検出ステップと、前記検出ステップによって前記選局
された番組から前記年齢による視聴制限を示す情報を検出した場合には、前記選局された
番組の画像の輝度を抑制する輝度抑制ステップと、前記検出ステップによって前記選局さ
れた番組から前記年齢による視聴制限を示す情報を検出した場合には、前記選局された番
組の音量を抑制する音量抑制ステップと、前記輝度抑制ステップにより輝度が抑制された
画像を出力する画像出力ステップと、前記音量抑制ステップにより音量が抑制された音声
を出力する音声出力ステップと、を具備することを特徴としている。
【０００９】
また、本発明の放送受信機の制御方法の第２の発明は、放送を受信する放送受信機の制
御方法において、前記受信した放送の中から選局された番組が年齢による視聴制限を示す
情報を有したものか否かを検出する検出ステップと、前記検出ステップによって前記選局
された番組から前記年齢による視聴制限を示す情報を検出した場合には、前記選局された
番組の画像の輝度を抑制する輝度抑制ステップと、前記検出ステップによって前記選局さ
れた番組から前記年齢による視聴制限を示す情報を検出した場合には、前記選局された番
組の音量を抑制する音量抑制ステップと、前記輝度抑制ステップにより輝度が抑制された
画像を出力する画像出力ステップと、前記音量抑制ステップにより音量が抑制された音声
を出力する音声出力ステップと、装置の電源コンセントが電源ソケットより抜去されたと
きに電源を供給する電源供給ステップとを具備し、前記輝度抑制ステップによる画像の輝
度の抑制及び前記音量抑制ステップによる音量の抑制は、装置の前記電源コンセントが前
記電源ソケットより抜去されたときのみ講じられることを特徴としている。
【発明の効果】
【００１０】
ユーザが選局した番組の内容を第三者が把握しづらくし、結果としてプライバシーを保
護できるという効果がある。
【発明を実施するための最良の形態】
【００１１】
以下に、本発明における実施の形態を図１乃至図２を参照して説明する。図１は本発明
の実施の形態に係るデジタル放送受信機のシステム構成図である。図２は本発明の実施の
形態に係るデジタル放送受信機の動作説明のためのフローチャートである。
【００１２】
本実施の形態に係るデジタル放送受信機１は、制御部１１と、アンテナ１２と、フロン
トエンド１３と、デマルチプレクサ１４と、復号部１５と、画像処理部１６と、画像出力
部１７と、音声処理部１８と、音声出力部１９と、記憶部２０と、入力部２１と、電源制
御部２２とで構成されている。
【００１３】
各要素の接続は、以下のようになっている。アンテナ１２はフロントエンド１３に接続
されており、画像出力部１７は画像処理部１６に接続されており、音声出力部１９は音声
処理部１８に接続されている。これ以外の制御部１１とフロントエンド１３とデマルチプ
レクサ１４と復号部１５と画像処理部１６と音声処理部１８と記憶部２０と入力部２１と
電源制御部２２は、バスＢにより相互に接続されている。
【００１４】
次に、各要素の構成を説明する。
【００１５】
制御部１１は、記憶部２０に格納されている制御プログラムＸの命令によりデジタル放
送受信機１全体の制御を行うものである。即ち、ある要素に対し命令を出したり、逆に命
令を受けて他の要素を制御したりする。制御部１１は、例えば、プロセッサ等である。
【００１６】
アンテナ１２はデジタル放送波を受信する。
【００１７】
フロントエンド１３は、アンテナ１２が受信したデジタル放送波の中からユーザが選ん
だチャンネルを選局し、この選ばれたチャンネルのデジタル放送波を復調し、ストリーム
データを生成する。
【００１８】
デマルチプレクサ１４は、フロントエンド１３にて生成されたストリームデータを画像
データと音声データに分別する。
【００１９】
復号部１５は、分別された画像データと音声データをそれぞれでデコード（復号化）す
る。
【００２０】
画像処理部１６は、復号部１５によりデコードされた画像データをＤ／Ａ変換して画像
出力部１７に出力する。また、画像処理部１６は、後述するように、復号部１５から出力
された画像データの輝度を調整して画像出力部１７に出力する機能も有する。
【００２１】
画像出力部１７は、画像処理部１６から受信したアナログ化された画像信号を出力する
。画像出力部１７は例えば、ＣＲＴモニターや液晶モニター等である。
【００２２】
音声処理部１８は、復号部１５によりデコードされた音声データをＤ／Ａ変換して音声
出力部１９に出力する。また、音声処理部１８は、後述するように、復号部１５から出力
された音声データの出力の大きさ（音量）を調整して音声出力部１９に出力する機能も有
する。
【００２３】
音声出力部１９は、音声処理部１８から受信したアナログ化された音声信号を出力する
。音声出力部１９は、スピーカ等の一度に複数人が聞くことが出来るものの他、イヤホン
等のようにそれを装着している者のみが聞くことが出来るものの双方の機能を有している
ことが望ましい。
【００２４】
記憶部２０は、各要素が出力した信号の他、後述する制御プログラムＸやプライバシー
時刻Ｔを格納する。記憶部２０は、例えばハードディスクドライブやＤＶＤ−ＲＡＭ、メ
モリーチップ、又はこれらの組み合わせ等である。
【００２５】
入力部２１は、ユーザからデジタル放送受信機１に対する命令を入力する部分である。
【００２６】
入力部２１は例えば、スイッチ、リモコンスイッチ、キーボード、マウス等である。
【００２７】
電源制御部２２は、上述した各要素に電源を供給する部分である。電源制御部２２は図
示せぬコンセントを商用電源のソケットに差し込むことで、各要素に電源を供給すること
もできるし、予め図示せぬバッテリ部に蓄電しておき、コンセントを使用しなくても各要
素に電源を供給することも出来る。従って、コンセントを使用しない利用形態では、蓄電
された状態であれば、デジタル放送受信機１を希望する場所に持ち運び、近くにコンセン
トが無い状況でもデジタル放送受信機１を利用することが出来る（所謂、モバイルとして
の利用）。
【００２８】
次に、図２を用いて本実施の形態に係るデジタル放送受信機１において、年齢による視
聴制限の情報（以下、「年齢制限情報」ともいう。）を有したデジタル放送の番組を選局
した場合に制御部１１がどのような処理を行うかを説明する。
【００２９】
まず、ユーザにより番組の選局が行われる（ステップＳ１）。この番組の選局とは、ア
ンテナ１２が受信したデジタル放送波の中から希望する番組を入力部２１よりユーザが選
ぶことにより、制御部１１がフロントエンド１３に該当するチャンネルを選局させること
により行われる。
【００３０】
次に、制御部１１は選局された番組が年齢制限情報を有するか否かを判定する（ステッ
プＳ２）。
【００３１】
即ち、制御部１１は、選局された番組を更にフロントエンド１３にて復調させ、ストリ
ームデータを生成させる。生成されたストリームデータはデマルチプレクサ１４に送出さ
れる。デマルチプレクサ１４は、受信したストリームデータを画像データと音声データと
に分別し、復号部１５に送出する。復号部１５にて受信した画像データと音声データは、
ここでデコード（復号化）され、画像信号は画像処理部１６に、音声信号は音声処理部１
８に送出される。画像処理部１６が受信した画像データは、ここでデジタル信号からアナ
ログ信号に変換される。同様に、音声処理部１８が受信した音声データは、ここでデジタ
ル信号からアナログ信号に変換される。
【００３２】
その上で、上記ステップＳ２では、この生成されたストリームデータの中に年齢制限情
報が含まれているか否かを判断することにより行われる。尚、この判断は、フロントエン
ド１３にてストリームデータが生成された後から画像信号や音声信号が画像処理部１６や
音声処理部１８でアナログ信号に変換されるまでの間のどの段階で行っても良い。
【００３３】
その結果、年齢制限情報が無い番組が選局された場合には（ステップＳ２のＮｏ）、後
述するステップＳ７に進む。
【００３４】
一方、視聴制限がある番組が選局された場合には（ステップＳ２のＹｅｓ）、制御部１
１は、プライバシー機能がＯＮになっているか否かを判断する（ステップＳ３）。
【００３５】
ここでプライバシー機能とは、ユーザが選局した番組を第三者に把握させたくない場合
に使用する機能である。
【００３６】
具体例としては、ユーザによる入力部２１の操作で、記憶部２０にプライバシー情報Ｐ
を記憶させることにより、このプライバシー情報Ｐが記憶されているときは、制御部１１
にプライバシー機能がＯＮになっていると判断させることで実現できる。
【００３７】
また、記憶部２０に、例えば、午後１１時から翌日の午前３時のように、任意の時間帯
情報であるプライバシー時間Ｔを設定し、この時間帯においては制御部１１にプライバシ
ー機能がＯＮになっていると判断させるようにしても良い。
【００３８】
更には、図示せぬ電源コンセントが電源ソケットから抜けたことをトリガとして、制御
部１１にプライバシー機能がＯＮになっていると判断させるようにしても良い。
【００３９】
その結果、制御部１１はプライバシー機能がＯＮになっていないと判断した場合（ステ
ップＳ３のＮｏ）、後述するステップＳ７に進む。
【００４０】
一方、制御部１１はプライバシー機能がＯＮになっていると判断した場合（ステップＳ
３のＹｅｓ）は、画像処理部１６において、受信した画像信号の画像の輝度を低く抑える
処理を行わせる（ステップＳ４）。
【００４１】
このように、輝度を低く抑えた画像にすることで、後述するように、デジタル放送受信
機からある程度距離が離れた場所や画面に対して斜めに見た場合にユーザがどのような番
組を選局しているかを視覚的に把握させにくくできるという効果がある。
【００４２】
次に、制御部１１は、デジタル放送受信機１にイヤホンが接続されているか否かを判断
する（ステップＳ５）。この判断は、例えば、音声出力部１９にセンサを介して当該セン
サにイヤホンの接続状態を感知させるような仕組みにしておくことで実現できる。
【００４３】
その結果、制御部１１はデジタル放送受信機１にイヤホンが接続されていると判断した
場合には（ステップＳ５のＹｅｓ）、後述するステップＳ７に進む。
【００４４】
一方、制御部１１がデジタル放送受信機１にイヤホンが接続されていない（当初は付い
ていたが何らかの原因で抜けた場合なども含む）と判断した場合には（ステップＳ５のＮ
ｏ）、制御部１１は、音声処理部１８にアナログ化された音声の出力（音量）を低く抑制
する処理を行わせる（ステップＳ６）。
【００４５】
このように、音声出力部１９から出力される音量を抑制することにより、ユーザがどの
ような番組を選局しているかを聴覚的に把握させないという効果がある。尚、ユーザに選
局番組を聴覚的に把握させないというのが本実施形態の効果であるため、ステップＳ６で
の音量の抑制は、必ずしも、音量をゼロ（ミュート状態）にするだけでなく、出力される
音量がはっきり聞き取れない程度、もしくはデジタル放送受信機１の近くにいれば何とか
聞き取れる程度に低く抑える処理を行うことでも良い。
【００４６】
次に、制御部１１は、画像処理部１６で処理された画像信号と音声処理部１８で処理さ
れた音声信号をそれぞれ、画像出力部１７と音声出力部１９から出力させる処理を行わせ
る（ステップＳ７）。
【００４７】
即ち、年齢制限情報がない番組を選局した場合（ステップＳ２のＮｏ）やプライバシー
機能がＯＦＦの場合（ステップＳ３のＮｏ）の場合には、画像の輝度と音量の双方とも抑
制が行われず、通常の出力で画像出力部１７や音声出力部１９から画像（映像）や音声が
出力されることとなる。
【００４８】
一方、プライバシー機能がＯＮの場合（ステップＳ３のＹｅｓ）の場合には、画像の輝
度の抑制処理が行われた画像が画像出力部１７より出力される。また、イヤホンが接続さ
れていない場合（ステップＳ５のＮｏ）には、音量の抑制処理が行われた音声が音声出力
部１９より出力される。
【００４９】
以上のように、制御部１１にプライバシー機能を利用する際に出力される画像の輝度を
抑える処理、及び、イヤホンが抜けた際に出力される音声のボリュームを抑える処理をす
ることで、ユーザが選局した番組の内容を第三者に把握されにくくでき、結果としてプラ
イバシーを保護できるという効果がある。
【００５０】
尚、本実施の形態では、デジタル放送に限定して説明してきたが、本発明は、年齢によ
る視聴制限の情報を有した放送であれば足りるため、デジタル放送だけでなく、アナログ
放送を受信するための放送受信機であっても良い。
【図面の簡単な説明】
【００５１】
【図１】本発明による実施の形態に係るデジタル放送受信機のシステム構成図。
【図２】本発明による実施の形態に係るデジタル放送受信機の動作説明のためのフローチャート。
【符号の説明】
【００５２】
１  デジタル放送受信機
１１  制御部
１２  アンテナ
１３  フロントエンド
１４  デマルチプレクサ
１５  復号部
１６  画像処理部
１７  画像出力部
１８  音声処理部
１９  音声出力部
２０  記憶部
２１  入力部
２２  電源制御部
Ｂ  バス
Ｐ  プライバシー情報
Ｔ  プライバシー時刻
Ｘ  制御プログラム
【図１】
2005086513.tif 000003
【図２】
2005086513.tif 000004